(57)【要約】遠心送風機（１）は、スクロール（６）を備えたケーシング（２）と、ケーシング（２）に内蔵された羽根車（３）とを備えている。ケーシング（２）は吸込口（４）を有する側板（５）と、モータ（７）を固定したモータ固定側板（８）とを備えている。またモータ（７）に、羽根車（３）が固定されている。そして側板（５）とモータ固定側板（８）との外形は、長方形の四隅（２０）が切り落とされた形状である。
2014156070.tif 000002
【特許請求の範囲】
【請求項１】
スクロールを備えたケーシングと、
前記ケーシングに内蔵された羽根車と、を備え、
前記ケーシングは吸込口を有する側板と、モータを固定したモータ固定側板とを備え、
前記モータに前記羽根車が固定された遠心送風機であって、
前記側板と前記モータ固定側板との外形は、長方形の四隅が切り落とされた形状であることを特徴とする遠心送風機。
【請求項２】
前記側板と前記モータ固定側板とには、周囲に壁状に立ち上がるフランジ部が設けられたことを特徴とする請求項１記載の遠心送風機。
【請求項３】
折曲部は、前記側板と前記モータ固定側板とのそれぞれにおいて、隣接する前記四隅の端部同士を結ぶ線であり、前記フランジ部は前記折曲部から外側に前記折曲部と平行に設けられ、前記折曲部が折り曲げられて形成されたことを特徴とする請求項２記載の遠心送風機。
【請求項４】
前記フランジ部は、前記折曲部の両端から延長された延長部分を備え、前記延長部分が重ねられて形成されることを特徴とする請求項３記載の遠心送風機。
【請求項５】
前記四隅が同じ形状に切り落とされることを特徴とする請求項４記載の遠心送風機。
【請求項６】
前記側板と前記モータ固定側板との外形は、八角形状であることを特徴とする請求項１記載の遠心送風機。
【発明の詳細な説明】
【技術分野】
【０００１】
本発明は、遠心送風機に関する。
【背景技術】
【０００２】
ダクトファンなどの換気送風機器、空気調和機などに組み込まれて使用される従来の遠心送風機の構造は次に示す通りである。ファンケーシングだけにより自立して使用する遠心送風機、すなわち空気調和機等の機器に組み込まれて使用される遠心送風機のファンケーシングは、長方形状の側板の四辺にフランジ部が設けられている。フランジ部は、端部が曲げられ、立ち上げられて形成されている。これにより側板の強度が増し、遠心送風機は自立して固定され、空気調和機等の機器に直接固定される。【０００３】
以下、従来の遠心送風機の斜視図である図４を参照しながら説明する（例えば、特許文献１を参照）。図４に示すように遠心送風機１０１は、ケーシング１０２とケーシング１０２に内蔵された羽根車１０３とから構成される。ケーシング１０２は、吸込口１０４を備えた側板１０５と、スクロール１０６と、モータ１０７を固定したモータ固定側板１０８とから構成されている。羽根車１０３は、モータ１０７に固定されている。【０００４】
モータ１０７の駆動により羽根車１０３が回転すると、吸込気流１０９が吸込口１０４より羽根車１０３を介してケーシング１０２内に流入する。羽根車１０３から吹き出した気体は、ケーシング１０２内において昇圧され、動圧から静圧へと変換されて吐出口１１０から吐出気流１１１となって流出される。【０００５】
遠心送風機１０１は、ケーシング１０２だけにより自立して使用できるよう側板１０５と、モータ固定側板１０８とは長方形状であり、四辺にフランジ部１１２が設けられている。フランジ部１１２が補強リブとなり、側板１０５とモータ固定側板１０８とが面方向に反ったり、歪んだりするのを防止する。その結果、側板１０５とモータ固定側板１０８との強度が増し、遠心送風機１０１はケーシング１０２だけにより自立して固定され、空気調和機等の機器に直接固定される。
【先行技術文献】
【特許文献】
【０００６】
【特許文献１】実開昭６２−１３３９９８号公報
【発明の概要】
【０００７】
図５は従来の遠心送風機の梱包時の天面図であり、遠心送風機１０１が梱包された場合の天面から見た図である。図４、図５に示すように遠心送風機１０１では、一般的にモータ１０７の自重はモータ固定側板１０８により支えられる。モータ固定側板１０８に加わったモータ１０７の自重は、ケーシング１０２全体によって支えられるよう、吸込口１０４が梱包外箱１１３の底面１１４側になる向きにて梱包される。
【０００８】
しかし遠心送風機１０１は直方体または立方体に形成されていて、梱包状態にて落下した場合、損傷を受けやすい角部１１５を有している。角部１１５が梱包状態における落下の衝撃から保護されるためには、梱包外箱１１３と遠心送風機１０１本体との間に緩衝材等の緩衝部分１１６が必要であった。そのため緩衝部分１１６の梱包の体積が大きくなる、という課題があった。
【０００９】
そこで本発明の遠心送風機は、スクロールを備えたケーシングと、ケーシングに内蔵された羽根車とを備えている。ケーシングは吸込口を有する側板と、モータを固定したモータ固定側板とを備え、モータに羽根車が固定されている。そして側板とモータ固定側板との外形は、長方形の四隅が切り落とされた形状である。
【００１０】
このような遠心送風機では、底面が遠心送風機の外形寸法とほぼ同等の梱包外箱に入れられ梱包状態にされた場合、切り落とし部分と梱包外箱との間に空間が形成される。すなわち梱包状態にて遠心送風機が落下した場合、損傷を受けやすい角部がなくなる。その結果、遠心送風機の梱包時に角部に緩衝材等が設けられる必要がなく、梱包体積が大きくなることがない。
【図面の簡単な説明】
【００１１】
【図１】図１は、本発明の実施の形態の遠心送風機の斜視図である。
【図２】図２は、同遠心送風機のモータ固定側板の板金展開図である。
【図３】図３は、同遠心送風機の梱包時の天面図である。
【図４】図４は、従来の遠心送風機の斜視図である。
【図５】図５は、同遠心送風機の梱包時の天面図である。
【発明を実施するための形態】
【００１２】
以下、本発明の実施の形態について図面を参照しながら説明する。
【００１３】
（実施の形態）
図１は、本発明の実施の形態の遠心送風機の斜視図である。図１に示すように遠心送風機１は、ケーシング２と、ケーシング２に内蔵された羽根車３とから構成される。ケーシング２は、吸込口４を備えた側板５と、スクロール６と、モータ７を固定したモータ固定側板８とから構成されている。
【００１４】
羽根車３は、モータ７の回転軸に固定されている。モータ７の駆動により羽根車３が回転すると、吸込気流９が吸込口４より羽根車３を介してケーシング２内に流入する。羽根車３から吹き出した気体は、ケーシング２内において昇圧され、動圧から静圧へと変換されて吐出口１０から吐出気流１１となって流出される。
【００１５】
側板５とモータ固定側板８との外形は、吸込口４に正対して見ると、長方形の四隅２０が切り落とされた形状である。そして、側板５とモータ固定側板８との長辺１２同士、短辺１３同士が平行になるように、側板５とモータ固定側板８とが配置されることが好ましい。また側板５とモータ固定側板８との長辺１２同士、短辺１３同士は同寸法であることが好ましい。このように側板５とモータ固定側板８との外形は、八角形状である。また、側板５とモータ固定側板８とには、周囲に壁状に立ち上がるフランジ部１４が設けられている。
【００１６】
図２は、本発明の実施の形態の遠心送風機のモータ固定側板の板金展開図である。すなわち、モータ固定側板８のフランジ部１４形成前の板金展開図である。図２の折曲部１５は、モータ固定側板８において隣接する四隅２０の端部２０ａ同士を結ぶ線である。また図１の側板５の折曲部１５も、隣接する四隅２０の端部２０ａ同士を結ぶ線である。そしてフランジ部１４は、折曲部１５から外側に折曲部１５と平行に設けられ、折曲部１５が折り曲げられて形成されている。
【００１７】
折曲部１５は、長辺１２に接して設けられる。また短辺１３側に、長辺１２に沿って延長した延長部分１６が形成されている。すなわちフランジ部１４は、折曲部１５の両端から延長された延長部分１６を備えている。そして短辺１３部分のフランジ部１４は、折曲線１５ａにより折り曲げられ形成される。その後、隣り合う２つの延長部分１６が重ねられて、図１に示す短辺１３部分のフランジ部１４が形成される。また四隅２０は同じ形状に切り落とされることにより、フランジ部１４の形成が容易になる。
【００１８】
上記構成による作用、効果について説明する。図３は、本発明の実施の形態の遠心送風機の梱包時の天面図である。図３は、遠心送風機１が梱包された場合の梱包外箱１８の天面側から見た図である。すなわち遠心送風機１は、モータ固定側板８側を天面側にして梱包外箱１８に入れられる。梱包外箱１８は、底面１７が図１の遠心送風機１の側板５の外形寸法とほぼ同じである。より詳細には、底面１７は側板５の長辺１２が形成する長方形よりも少しだけ大きい。
【００１９】
そして遠心送風機１が梱包された場合、側板５とモータ固定側板８との切り落とし部分と、梱包外箱１８との間に空間１９が形成される。一般的に梱包状態にて機器が落下した場合、損傷を受けやすい部分は機器の角部である。図３に示すように遠心送風機１ではこの角部をなくし、この部分に空間１９が設けられている。そのため遠心送風機１が梱包状態にて落下した場合、空間１９が緩衝空間となり、落下による衝撃を吸収する。つまり梱包外箱１８が変形しながら衝撃を吸収し、遠心送風機１の損傷が防がれる。
【００２０】
また、図１に示す側板５とモータ固定側板８との長辺１２同士、短辺１３同士が平行かつ同寸法であり、遠心送風機１を入れる図３の梱包外箱１８の縦横寸法も同寸法であることが好ましい。この構成によれば、図３の遠心送風機１が梱包される際の遠心送風機１の向きが無くなり、梱包時の遠心送風機１の向きの間違いが防止され、空間１９が確実に確保される。
【００２１】
なお、本実施の形態では図１の側板５とモータ固定側板８との外形は、八角形状としているが、角部が丸くても良い。すなわち側板５とモータ固定側板８との外形の八角形状は、角部が丸い略八角形状も含む。側板５とモータ固定側板８とが略八角形状であっても、遠心送風機１は梱包状態における落下の衝撃から保護される。
【００２２】
また図１の側板５とモータ固定側板８とは、対向する２組の長辺１２と、対向する２組の短辺１３との八辺を備えるとしたが、少なくとも八辺であればよく、辺の数を増やして八辺以上としてもよい。
【００２３】
また、図１に示す側板５とモータ固定側板８との短辺１３部分のフランジ部１４は、図２に示す隣り合う２つの延長部分１６を重ねるようにして形成した。しかし、短辺１３部分にもフランジ部１４と連結した連結フランジ部が設けられ、フランジ部１４と一緒に折り曲げられて短辺１３部分のフランジ部１４が形成されても良い。
【００２４】
また別部品を設けることなく、図１のフランジ部１４が折り曲げ加工にて簡単に形成される。さらにフランジ部１４が補強リブとなるため、側板５とモータ固定側板８とが面方向に反ったり、歪んだりするのが防止される。
【００２５】
また図２に示すフランジ部１４は、延長部分１６が重ねられて形成されているため運搬時、および吊り固定時にフランジ部１４が保持された場合、力が加わる方向に隣り合うフランジ部１４同士が連結されるので、フランジ部１４の強度が強くなる。
【００２６】
このような構成により、図１に示す側板５とモータ固定側板８との強度が増し、遠心送風機１はケーシング２だけにより自立して固定される。そのため遠心送風機１は、空気調和機等の機器に直接固定される。また遠心送風機１の梱包時、角部に緩衝材等の緩衝部分が設けられる必要がなく、梱包の体積が小さくなる。
【産業上の利用可能性】
【００２７】
本発明は遠心送風機に限られることなく、設備機器の機器梱包にも適用できる。
【符号の説明】
【００２８】
１    遠心送風機
２    ケーシング
３    羽根車
４    吸込口
５    側板
６    スクロール
７    モータ
８    モータ固定側板
９    吸込気流
１０    吐出口
１１    吐出気流
１２    長辺
１３    短辺
１４    フランジ部
１５    折曲部
１５ａ    折曲線
１６    延長部分
１７    底面
１８    梱包外箱
１９    空間
２０    四隅
２０ａ    端部
【図１】
2014156070.tif 000003
【図２】
2014156070.tif 000004
【図３】
2014156070.tif 000005
【図４】
2014156070.tif 000006
【図５】
2014156070.tif 000007
【手続補正書】
【提出日】平成27年8月4日(2015.8.4)
【手続補正１】
【補正対象書類名】明細書
【補正対象項目名】全文
【補正方法】変更
【補正の内容】
【発明の詳細な説明】
【技術分野】
【０００１】
本発明は、遠心送風機に関する。
【背景技術】
【０００２】
ダクトファンなどの換気送風機器、空気調和機などに組み込まれて使用される従来の遠心送風機の構造は次に示す通りである。ファンケーシングだけにより自立して使用する遠心送風機、すなわち空気調和機等の機器に組み込まれて使用される遠心送風機のファンケーシングは、長方形状の側板の四辺にフランジ部が設けられている。フランジ部は、端部が曲げられ、立ち上げられて形成されている。これにより側板の強度が増し、遠心送風機は自立して固定され、空気調和機等の機器に直接固定される。
【０００３】
以下、従来の遠心送風機の斜視図である図４を参照しながら説明する（例えば、特許文献１を参照）。図４に示すように遠心送風機１０１は、ケーシング１０２とケーシング１０２に内蔵された羽根車１０３とから構成される。ケーシング１０２は、吸込口１０４を備えた側板１０５と、スクロール１０６と、モータ１０７を固定したモータ固定側板１０８とから構成されている。羽根車１０３は、モータ１０７に固定されている。
【０００４】
モータ１０７の駆動により羽根車１０３が回転すると、吸込気流１０９が吸込口１０４より羽根車１０３を介してケーシング１０２内に流入する。羽根車１０３から吹き出した気体は、ケーシング１０２内において昇圧され、動圧から静圧へと変換されて吐出口１１０から吐出気流１１１となって流出される。
【０００５】
遠心送風機１０１は、ケーシング１０２だけにより自立して使用できるよう側板１０５と、モータ固定側板１０８とは長方形状であり、四辺にフランジ部１１２が設けられている。フランジ部１１２が補強リブとなり、側板１０５とモータ固定側板１０８とが面方向に反ったり、歪んだりするのを防止する。その結果、側板１０５とモータ固定側板１０８との強度が増し、遠心送風機１０１はケーシング１０２だけにより自立して固定され、空気調和機等の機器に直接固定される。
【先行技術文献】
【特許文献】
【０００６】
【特許文献１】実開昭６２−１３３９９８号公報
【発明の概要】
【０００７】
図５は従来の遠心送風機の梱包時の天面図であり、遠心送風機１０１が梱包された場合の天面から見た図である。図４、図５に示すように遠心送風機１０１では、一般的にモータ１０７の自重はモータ固定側板１０８により支えられる。モータ固定側板１０８に加わったモータ１０７の自重は、ケーシング１０２全体によって支えられるよう、吸込口１０４が梱包外箱１１３の底面１１４側になる向きにて梱包される。
【０００８】
しかし遠心送風機１０１は直方体または立方体に形成されていて、梱包状態にて落下した場合、損傷を受けやすい角部１１５を有している。角部１１５が梱包状態における落下の衝撃から保護されるためには、梱包外箱１１３と遠心送風機１０１本体との間に緩衝材等の緩衝部分１１６が必要であった。そのため緩衝部分１１６の梱包の体積が大きくなる、という課題があった。
【０００９】
そこで本発明の遠心送風機は、スクロールを備えたケーシングと、ケーシングに内蔵された羽根車とを備えている。ケーシングは吸込口を有する側板と、モータを固定したモータ固定側板とを備え、モータに羽根車が固定されている。そして側板とモータ固定側板との外形は、長方形の四隅が切り落とされた形状である。
【００１０】
このような遠心送風機では、底面が遠心送風機の外形寸法とほぼ同等の梱包外箱に入れられ梱包状態にされた場合、切り落とし部分と梱包外箱との間に空間が形成される。すなわち梱包状態にて遠心送風機が落下した場合、損傷を受けやすい角部がなくなる。その結果、遠心送風機の梱包時に角部に緩衝材等が設けられる必要がなく、梱包体積が大きくなることがない。
【図面の簡単な説明】
【００１１】
【図１】図１は、本発明の実施の形態の遠心送風機の斜視図である。
【図２】図２は、同遠心送風機のモータ固定側板の板金展開図である。
【図３】図３は、同遠心送風機の梱包時の天面図である。
【図４】図４は、従来の遠心送風機の斜視図である。
【図５】図５は、同遠心送風機の梱包時の天面図である。
【発明を実施するための形態】
【００１２】
以下、本発明の実施の形態について図面を参照しながら説明する。
【００１３】
（実施の形態）
図１は、本発明の実施の形態の遠心送風機の斜視図である。図１に示すように遠心送風機１は、ケーシング２と、ケーシング２に内蔵された羽根車３とから構成される。ケーシング２は、吸込口４を備えた側板５と、スクロール６と、モータ７を固定したモータ固定側板８とから構成されている。
【００１４】
羽根車３は、モータ７の回転軸に固定されている。モータ７の駆動により羽根車３が回転すると、吸込気流９が吸込口４より羽根車３を介してケーシング２内に流入する。羽根車３から吹き出した気体は、ケーシング２内において昇圧され、動圧から静圧へと変換されて吐出口１０から吐出気流１１となって流出される。
【００１５】
側板５とモータ固定側板８との外形は、吸込口４に正対して見ると、長方形の四隅２０が切り落とされた形状である。そして、側板５とモータ固定側板８との長辺１２同士、短辺１３同士が平行になるように、側板５とモータ固定側板８とが配置されることが好ましい。また側板５とモータ固定側板８との長辺１２同士、短辺１３同士は同寸法であることが好ましい。このように側板５とモータ固定側板８との外形は、八角形状である。また、側板５とモータ固定側板８とには、周囲に壁状に立ち上がるフランジ部１４が設けられている。
【００１６】
図２は、本発明の実施の形態の遠心送風機のモータ固定側板の板金展開図である。すなわち、モータ固定側板８のフランジ部１４形成前の板金展開図である。図２の折曲部１５は、モータ固定側板８において隣接する四隅２０の端部２０ａ同士を結ぶ線である。また図１の側板５の折曲部１５も、隣接する四隅２０の端部２０ａ同士を結ぶ線である。そしてフランジ部１４は、折曲部１５から外側に折曲部１５と平行に設けられ、折曲部１５が折り曲げられて形成されている。
【００１７】
折曲部１５は、長辺１２に接して設けられる。また短辺１３側に、長辺１２に沿って延長した延長部分１６が形成されている。すなわちフランジ部１４は、折曲部１５の両端から延長された延長部分１６を備えている。そして短辺１３部分のフランジ部１４は、折曲線１５ａにより折り曲げられ形成される。その後、隣り合う２つの延長部分１６が重ねられて、図１に示す短辺１３部分のフランジ部１４が形成される。また四隅２０は同じ形状に切り落とされることにより、フランジ部１４の形成が容易になる。
【００１８】
上記構成による作用、効果について説明する。図３は、本発明の実施の形態の遠心送風機の梱包時の天面図である。図３は、遠心送風機１が梱包された場合の梱包外箱１８の天面側から見た図である。すなわち遠心送風機１は、モータ固定側板８側を天面側にして梱包外箱１８に入れられる。梱包外箱１８は、底面１７が図１の遠心送風機１の側板５の外形寸法とほぼ同じである。より詳細には、底面１７は側板５の長辺１２が形成する長方形よりも少しだけ大きい。
【００１９】
そして遠心送風機１が梱包された場合、側板５とモータ固定側板８との切り落とし部分と、梱包外箱１８との間に空間１９が形成される。一般的に梱包状態にて機器が落下した場合、損傷を受けやすい部分は機器の角部である。図３に示すように遠心送風機１ではこの角部をなくし、この部分に空間１９が設けられている。そのため遠心送風機１が梱包状態にて落下した場合、空間１９が緩衝空間となり、落下による衝撃を吸収する。つまり梱包外箱１８が変形しながら衝撃を吸収し、遠心送風機１の損傷が防がれる。
【００２０】
また、図１に示す側板５とモータ固定側板８との長辺１２同士、短辺１３同士が平行かつ同寸法であり、遠心送風機１を入れる図３の梱包外箱１８の縦横寸法も同寸法であることが好ましい。この構成によれば、図３の遠心送風機１が梱包される際の遠心送風機１の向きが無くなり、梱包時の遠心送風機１の向きの間違いが防止され、空間１９が確実に確保される。
【００２１】
なお、本実施の形態では図１の側板５とモータ固定側板８との外形は、八角形状としているが、角部が丸くても良い。すなわち側板５とモータ固定側板８との外形の八角形状は、角部が丸い略八角形状も含む。側板５とモータ固定側板８とが略八角形状であっても、遠心送風機１は梱包状態における落下の衝撃から保護される。
【００２２】
また図１の側板５とモータ固定側板８とは、対向する２組の長辺１２と、対向する２組の短辺１３との八辺を備えるとしたが、少なくとも八辺であればよく、辺の数を増やして八辺以上としてもよい。
【００２３】
また、図１に示す側板５とモータ固定側板８との短辺１３部分のフランジ部１４は、図２に示す隣り合う２つの延長部分１６を重ねるようにして形成した。しかし、短辺１３部分にもフランジ部１４と連結した連結フランジ部が設けられ、フランジ部１４と一緒に折り曲げられて短辺１３部分のフランジ部１４が形成されても良い。
【００２４】
また別部品を設けることなく、図１のフランジ部１４が折り曲げ加工にて簡単に形成される。さらにフランジ部１４が補強リブとなるため、側板５とモータ固定側板８とが面方向に反ったり、歪んだりするのが防止される。
【００２５】
また図２に示すフランジ部１４は、延長部分１６が重ねられて形成されているため運搬時、および吊り固定時にフランジ部１４が保持された場合、力が加わる方向に隣り合うフランジ部１４同士が連結されるので、フランジ部１４の強度が強くなる。
【００２６】
このような構成により、図１に示す側板５とモータ固定側板８との強度が増し、遠心送風機１はケーシング２だけにより自立して固定される。そのため遠心送風機１は、空気調和機等の機器に直接固定される。また遠心送風機１の梱包時、角部に緩衝材等の緩衝部分が設けられる必要がなく、梱包の体積が小さくなる。
【産業上の利用可能性】
【００２７】
本発明は遠心送風機に限られることなく、設備機器の機器梱包にも適用できる。
【符号の説明】
【００２８】
１    遠心送風機
２    ケーシング
３    羽根車
４    吸込口
５    側板
６    スクロール
７    モータ
８    モータ固定側板
９    吸込気流
１０    吐出口
１１    吐出気流
１２    長辺
１３    短辺
１４    フランジ部
１５    折曲部
１５ａ    折曲線
１６    延長部分
１７    底面
１８    梱包外箱
１９    空間
２０    四隅
２０ａ    端部
【手続補正２】
【補正対象書類名】特許請求の範囲
【補正対象項目名】全文
【補正方法】変更
【補正の内容】
【特許請求の範囲】
【請求項１】
スクロールを備えたケーシングと、
前記ケーシングに内蔵された羽根車と、を備え、
前記ケーシングは吸込口を有する側板と、モータを固定したモータ固定側板とを備え、
前記モータに前記羽根車が固定された遠心送風機であって、
前記側板と前記モータ固定側板との外形は、長方形の四隅が切り落とされた形状であることを特徴とする遠心送風機。
【請求項２】
前記側板と前記モータ固定側板とには、周囲に壁状に立ち上がるフランジ部が設けられたことを特徴とする請求項１記載の遠心送風機。
【請求項３】
折曲部は、前記側板と前記モータ固定側板とのそれぞれにおいて、隣接する前記四隅の端部同士を結ぶ線であり、前記フランジ部は前記折曲部から外側に前記折曲部と平行に設けられ、前記折曲部が折り曲げられて形成されたことを特徴とする請求項２記載の遠心送風機。
【請求項４】
前記フランジ部は、前記折曲部の両端から延長された延長部分を備え、前記延長部分が重ねられて形成されることを特徴とする請求項３記載の遠心送風機。
【請求項５】
前記四隅が同じ形状に切り落とされることを特徴とする請求項４記載の遠心送風機。
【請求項６】
前記側板と前記モータ固定側板との外形は、八角形状であることを特徴とする請求項１記載の遠心送風機。
【手続補正３】
【補正対象書類名】図面
【補正対象項目名】全図
【補正方法】変更
【補正の内容】
【図１】
2014156070.tif 000008
【図２】
2014156070.tif 000009
【図３】
2014156070.tif 000010
【図４】
2014156070.tif 000011
【図５】
2014156070.tif 000012
【手続補正書】
【提出日】平成28年8月5日(2016.8.5)
【手続補正１】
【補正対象書類名】特許請求の範囲
【補正対象項目名】全文
【補正方法】変更
【補正の内容】
【特許請求の範囲】
【請求項１】
スクロールを備えたケーシングと、
前記ケーシングに内蔵された羽根車と、を備え、
前記ケーシングは吸込口を有する側板と、モータを固定したモータ固定側板とを備え、
前記モータに前記羽根車が固定された遠心送風機であって、
前記側板と前記モータ固定側板との外形は、長方形の四隅が切り落とされた形状であり、
前記側板と前記モータ固定側板とには、周囲に壁状に立ち上がるフランジ部が設けられたことを特徴とする遠心送風機。
【請求項２】
折曲部は、前記側板と前記モータ固定側板とのそれぞれにおいて、隣接する前記四隅の端部同士を結ぶ線であり、前記フランジ部は前記折曲部から外側に前記折曲部と平行に設けられ、前記折曲部が折り曲げられて形成されたことを特徴とする請求項１記載の遠心送風機。
【請求項３】
前記フランジ部は、前記折曲部の両端から延長された延長部分を備え、前記延長部分が重ねられて形成されることを特徴とする請求項２記載の遠心送風機。
【請求項４】
前記四隅が同じ形状に切り落とされることを特徴とする請求項３記載の遠心送風機。
【請求項５】
前記側板と前記モータ固定側板との外形は、八角形状であることを特徴とする請求項１記載の遠心送風機。
【手続補正２】
【補正対象書類名】明細書
【補正対象項目名】０００９
【補正方法】変更
【補正の内容】
【０００９】
そこで本発明の遠心送風機は、スクロールを備えたケーシングと、ケーシングに内蔵された羽根車とを備えている。ケーシングは吸込口を有する側板と、モータを固定したモータ固定側板とを備え、モータに羽根車が固定されている。そして側板とモータ固定側板との外形は、長方形の四隅が切り落とされた形状であり、側板とモータ固定側板とには、周囲に壁状に立ち上がるフランジ部が設けられている。
【国際調査報告】
2014156070.tif 000013
2014156070.tif 000014
2014156070.tif 000015
2014156070.tif 000016